(57)【特許請求の範囲】
【請求項１】
下方が開放された外部ケースに乾燥させる物品を収容することができる昇降棚を上昇させて収納及び下降させて取出し自在に設けた昇降乾燥装置であって、外部ケースの内方上部に温風供給部を設け、外部ケースの内方側部で温風供給部から下端に至る吸気ダクトを設けるとともに吸気ダクトの下端部の吸気口に吸気フィルターを着脱自在に設けて成ることを特徴とする昇降乾燥装置。
【請求項２】
吸気口とは反対側に排気口を設けて成ることを特徴とする請求項１記載の昇降乾燥装置。
【請求項３】
昇降棚の底部に水受けを形成するとともに最も低い位置に排水口を形成し、排水口の下側に受け皿を設け、排水口を経て受け皿の上面及びその周部を通過した排気が排出される排気口を受け皿の下方に形成して成ることを特徴とする請求項１又は２記載の昇降乾燥装置。
【請求項４】
温風供給部は、ファンとヒータとを備え、ヒータを作動させない状態で送風をおこなう手段を備えて成ることを特徴とする請求項１記載の昇降乾燥装置。
【発明の詳細な説明】
【０００１】
【発明の属する技術分野】
本発明は、主として、食器乾燥器として使用される昇降乾燥装置に関し、詳しくは、吸気口に設けるフィルターの着脱を容易におこなえるようにしながら、排出された湿った空気が循環するのを回避して乾燥効率を高めようとする技術に係るものである。
【０００２】
【従来の技術】
従来、下方が開放された外部ケースに乾燥させる物品を収容することができる昇降棚を上昇させて収納及び下降させて取出し自在に設けた昇降乾燥装置においては、外部ケースの内部上方に温風供給部を設けるのであり、このため、温風供給部に空気を取り入れる吸気口は外部ケースの上部に設けているものである。
【０００３】
【発明が解決しようとする課題】
ところで、吸気口を外部ケースの上部に設けているので、吸気口の点検及び吸気口に付設した吸気フィルターのメンテナンスをおこなう場合に、例えば、踏み台を設置等しなければならず、又、吸気フィルターの取外しも面倒になる等という問題があった。
【０００４】
本発明はこのような問題に鑑みてなされたものであり、吸気口の点検や吸気フィルターのメンテナンスを容易におこなえるようにしながら、排出された湿った空気が循環するのを回避して乾燥効率を高めることができ、又、吸気フィルターのメンテナンスも容易におこなえる昇降乾燥装置を提供することを課題とするものである。
【０００５】
【課題を解決するための手段】
請求項１においては、下方が開放された外部ケース１に乾燥させる物品を収容することができる昇降棚２を上昇させて収納及び下降させて取出し自在に設けた昇降乾燥装置であって、外部ケース１の内方上部に温風供給部９を設け、外部ケース１の内方側部で温風供給部９から下端に至る吸気ダクト１９を設けるとともに吸気ダクト１９の下端部の吸気口２０に吸気フィルター２１を着脱自在に設けていることを特徴とするものである。このような構成によれば、吸気口２０及び吸気口２０に付設されている吸気フィルター２１は外部ケース１の下端部に位置させることができ、吸気口２０及び吸気フィルター２１の保守点検を椅子等を設置することなく、楽にかつ容易におこなえる。
【０００６】
請求項２においては、吸気口２０とは反対側に排気口２６を設けていることを特徴とするものである。このような構成によれば、排気口２６から排出された排気を吸気口２０から吸気することを低減して、排出された湿った空気が循環するのを防止するができて乾燥効率を高めることができる。
【０００７】
請求項３においては、昇降棚２の底部に水受け４を形成するとともに最も低い位置に排水口２３を形成し、排水口２３の下側に受け皿６を設け、排水口２３を経て受け皿６の上面及びその周部を通過した排気が排出される排気口２６を受け皿６の下方に形成していることを特徴とするものである。このような構成によれば、昇降棚２からの排気は、水受け４の排水口２３を経て受け皿６に向かい、受け皿６の周部を経て受け皿６の下側の排気口２６からおこなうことから、昇降棚２から充分に湿気を含んだ排気を一旦、水を受ける受け皿６の上を通過させることで、排気中の湿気（蒸気）を受け皿６において凝集させることができ、したがって、排気口２６において湿気（蒸気）が凝集するのを防止することができる。
【０００８】
請求項４においては、温風供給部９は、ファン７とヒータ８とを備え、ヒータ８を作動させない状態で送風をおこなう手段を備えていることを特徴とするものである。このような構成によれば、送風のみをおこなうことができて、送風状態で時間がたてばヒータ８を使用しなくても充分に乾燥することができ、ヒータ８を使用しないで省エネを図ることができる。更に、送風をおこなうことから、昇降棚２の乾燥をおこなうことができるとともに昇降乾燥装置の換気を図ることができ、非使用状態で放置された場合に、内部における結露を防止することができる。しかも、このように乾燥を充分におこなえるので、例えば、食器乾燥機としてだけでなく、シンク上において水切り収納棚としても使用することができる。
【０００９】
【発明の実施の形態】
以下、本発明の実施の形態を説明する。図１は概略正断面図、図２は概略平断面図、図３は概略側断面図、図４(ａ)は水受けの正面図、同図(ｂ)は平面図、同図(ｃ)は部分拡大断面図である。
【００１０】
昇降乾燥装置Ａは食器乾燥装置であり、天袋の一部を構成するもので、例えば、調理部と食堂とを仕切る天袋の一部として設置され、その下方にはカウンター(図示せず)が配設される。以下、詳述する。
【００１１】
外部ケース１は下方が開放された箱型に形成され、開くことができない擬似扉２５を備え、このような外部ケース１の内部上部にはファン７とヒータ８を備えた温風供給部９が設置され、更に、滑車１０と巻取りドラム１１と駆動モータ１２を備えた昇降機構部１３が設置され、カバー１４にて囲繞されて湿気等入らないように気密が保たれている。カバー１４には吹出し口１５を貫通させている。ところで、ファン７はヒータ８とは独立して駆動できるようになっていて、ヒータ８を駆動させる温風供給、又は、ヒータ８を停止した送（冷）風供給を可能にしていて、食器の温風乾燥、又は送（冷）風による乾燥及び冷却を図るようにしている。このような切換え操作は、操作盤における操作によっておこなわれるようにしている。
【００１２】
昇降機構部１３からの一対のベルト２７，２７に昇降棚２を係着していて、駆動モータ１２によって昇降棚２を昇降することができるようにしている。
【００１３】
昇降棚２は天板１６と水受け４との間に、例えば、カラー塗装して錆び止めを図った金属線材１７を複数本架設して、略かご状にしたものであり、金属線材１７，１７間に皿を挿入して保持したり、又、ちゃわんのような容器状の食器を内部に収容できるようにしている。
【００１４】
外部ケース１の短い側板１８側に沿って吸気ダクト１９が付設され、吸気口２０が外部ケース１の下端に形成されている。吸気口２０には吸気フィルター２１が着脱自在に取付けられている。
【００１５】
昇降棚２の水受け４はパン状に形成され、ビス２２にて止められ、ビス２２を外すことで取外すことができるようにしている。水受け４には水勾配が形成され、水勾配の最も低い部分に排水口２３を形成している。水受け４の裏面で排水口２３の左右近傍にはレール２４，２４が設けられ、受け皿６を手指で手前に引出すことで、排水することができるようにしている。又、水受け４は、水受け機能とともに、ガード３となって、その外周縁部５によって、箸やスプーンが飛び出るのを防止するようにしている。
【００１６】
このように、外部ケース１の内方上部に温風供給部９を設け、外部ケース１の内方側部で温風供給部９から下端に至る吸気ダクト１９を設けるとともに吸気ダクト１９の先端部の吸気口２０に吸気フィルター２１を着脱自在に設けることによって、吸気口２０及び吸気フィルター２１の保守点検を椅子等を設置することなく、楽におこなえるのである。
【００１７】
更に、吸気口２０とは反対側部分、つまり、吸気ダクト１９が付設された側板１８とは反対側の側板の近傍に排気口２６を設けているから、排気口２６から排出された排気を吸気口２０から吸気することを低減して、湿った空気が循環するのを防止するができて乾燥効率を高めることができるのである。
【００１８】
しかも、昇降棚２の底部に水受け４を形成するとともに最も低い位置に排水口２３を形成し、排水口２３の下側に受け皿６を設け、排水口２３を経て受け皿６の上面及びその周部を通過した排気が排出される排気口２６を受け皿６の下方に形成していることから、図５(ｂ)に示すように、昇降棚２からの排気は、水受け４の排水口２３を経て受け皿６に向かい、受け皿６の周部を経て受け皿６の下側の排気口２６からおこなうことから、昇降棚２から充分に湿気を含んだ排気を一旦、水を受ける受け皿６の上を通過させることで、排気中の湿気（蒸気）を受け皿６において凝集させることができ、したがって、排気口２６において湿気（蒸気）が凝集するのを防止することができるのである。符号４１は排気フィルターである。
【００１９】
又、温風供給部９は、ファン７とヒータ８とを備え、ヒータ８を作動させない状態で送風をおこなう手段を備えていることから、送風のみをおこなうことができて、送風状態で時間がたてばヒータ８を使用しなくても充分に乾燥することができ、ヒータ８を使用しないで省エネを図ることができるのである。更に、送風をおこなうことから、昇降棚２の乾燥をおこなうことができるとともに昇降乾燥装置の換気を図ることができ、非使用状態で放置された場合に、内部における結露を防止することができるのである。しかも、このように乾燥を充分におこなえるので、例えば、食器乾燥機としてだけでなく、シンク上において水切り収納棚としても使用することができるのである。又、夏場等で暑い日に、高温排気が排出されることが気になる場合、送風状態にしておけば、熱い風を受けることなく作業ができてよい。この場合、その場を離れる時にヒータ８を作動させる温風乾燥状態に切換える。更には、乾燥終了後に、送風状態にしておくと、冷えた飲食物を使用するグラスのような器を冷却することができてよい。
【００２０】
図６は他の実施の形態を示し、但し、本実施の形態の基本構成は上記実施の形態と共通であり、共通する部分には同一の符号を付して説明は省略する。
【００２１】
本実施の形態においては、排気口２６を吸気口２０を設けた側板とは反対側の側板の近傍に形成したものである。
【００２２】
本実施の形態においては、排気口２６を吸気口２０から充分に離すことができ、排気が循環されることを、一層、防止することができるものである。
【００２３】
【発明の効果】
請求項１においては、下方が開放された外部ケースに乾燥させる物品を収容することができる昇降棚を上昇させて収納及び下降させて取出し自在に設けた昇降乾燥装置であって、外部ケースの内方上部に温風供給部を設け、外部ケースの内方側部で温風供給部から下端に至る吸気ダクトを設けるとともに吸気ダクトの下端部の吸気口に吸気フィルターを着脱自在に設けているから、吸気口及び吸気口に付設されている吸気フィルターは外部ケースの下端部に位置させることができ、吸気口及び吸気フィルターの保守点検を椅子等を設置することなく、楽にかつ容易におこなえるという利点がある。
【００２４】
請求項２においては、吸気口とは反対側に排気口を設けているから、請求項１の効果に加えて、排気口から排出された排気を吸気口から吸気することを低減して、湿った空気が循環するのを防止するができて乾燥効率を高めることができるという利点がある。
【００２５】
請求項３においては、昇降棚の底部に水受けを形成するとともに最も低い位置に排水口を形成し、排水口の下側に受け皿を設け、排水口を経て受け皿の上面及びその周部を通過した排気が排出される排気口を受け皿の下方に形成しているから、請求項１又は２の効果に加えて、昇降棚からの排気は、水受けの排水口を経て受け皿に向かい、受け皿の周部を経て受け皿の下側の排気口からおこなうことから、昇降棚から充分に湿気を含んだ排気を一旦、水を受ける受け皿の上を通過させることで、排気中の湿気（蒸気）を受け皿において凝集させることができ、したがって、排気口において湿気（蒸気）が凝集するのを防止することができるという利点がある。
【００２６】
請求項４においては、温風供給部は、ファンとヒータとを備え、ヒータを作動させない状態で送風をおこなう手段を備えているから、請求項１の効果に加えて、送風のみをおこなうことができて、送風状態で時間がたてばヒータを使用しなくても充分に乾燥することができ、ヒータを使用しないで省エネを図ることができるという利点がある。更に、送風をおこなうことから、昇降棚の乾燥をおこなうことができるとともに昇降乾燥装置の換気を図ることができ、非使用状態で放置された場合に、内部における結露を防止することができるという利点がある。しかも、このように乾燥を充分におこなえるので、例えば、食器乾燥機としてだけでなく、シンク上において水切り収納棚としても使用することができるという利点がある。
【図面の簡単な説明】
【図１】本発明の実施の一形態の概略正断面図である。
【図２】同上の概略平断面図である。
【図３】同上の概略側断面図である。
【図４】(ａ)は水受けの正面図、(ｂ)は平面図、(ｃ)は部分拡大断面図である。
【図５】(ａ)は概略断面図、(ｂ)は作用を示す概略断面図、(ｃ)は概略斜視図である。
【図６】同上の他の実施の形態の概略底面図である。
【符号の説明】
１    外部ケース
２    昇降棚
４    水受け
６    受け皿
９    温風供給部
１９  吸気ダクト
２０  吸気口
２１  吸気フィルター
【図１】
0003539306.tif 000002
【図２】
0003539306.tif 000003
【図３】
0003539306.tif 000004
【図４】
0003539306.tif 000005
【図５】
0003539306.tif 000006
【図６】
0003539306.tif 000007